(57)【特許請求の範囲】
【請求項１】
コンロ本体の上面を覆う天板に、コンロバーナを挿通するバーナ用開口が左右一対に開設されたガスコンロにおいて、
左右方向に長手で、左右の各端部が左右の各バーナ用開口の口縁部に連結される桟部材が天板の下面に沿わせて設けられ、コンロ本体に、桟部材の中央部を下方に押圧して天板を固定する固定手段が設けられることを特徴とするガスコンロ。
【請求項２】
前記桟部材の中央部に、後下がりに傾斜した傾斜板部が固定され、前記固定手段は、前記コンロ本体に固定の部材に螺挿された、傾斜板部に後方から当接可能な固定ネジで構成されることを特徴とする請求項１記載のガスコンロ。
【請求項３】
前記コンロ本体の後板部に、前記固定ネジと同一軸線上に位置させて、固定ネジを操作する工具を挿入可能な孔部が設けられることを特徴とする請求項２記載のガスコンロ。
【請求項４】
前記コンロ本体の後板部と前記固定ネジとの間に、固定ネジと同一軸線上に位置させて、前記工具が挿通される後方に向けて拡径したテーパー状のガイド筒が設けられることを特徴とする請求項３記載のガスコンロ。
【発明の詳細な説明】
【技術分野】
【０００１】
本発明は、コンロ本体の上面を覆う天板に、コンロバーナが挿通されるバーナ用開口が左右一対に開設されたガスコンロに関する。
【背景技術】
【０００２】
この種のガスコンロにおいて、天板の各バーナ用開口の口縁部は、コンロバーナの火炎からの輻射熱により加熱されやすく、口縁部からの入熱で天板が熱膨張して、口縁部が上方に変位するように天板が変形することがある。そして、バーナ用開口の口縁部が一旦上方に変位すると、火炎に近付くため、口縁部への入熱量が増加して、天板の熱膨張による口縁部の上方への変位量がかなり大きくなってしまう。
【０００３】
そこで、従来、天板を左右の各バーナ用開口の口縁部でコンロ本体に対し固定する固定手段を設けたものが知られている（例えば、特許文献１参照）。これによれば、天板の熱膨張でバーナ用開口の口縁部が上方に変位することを抑制できる。然し、このものでは、左右のバーナ用開口間の天板部分が熱膨張で上下方向に反るような変形を生じやすくなってしまう。
【先行技術文献】
【特許文献】
【０００４】
【特許文献１】特開２０１５−２１００２３号公報
【発明の概要】
【発明が解決しようとする課題】
【０００５】
本発明は、以上の点に鑑み、天板の熱膨張で左右のバーナ用開口の口縁部が上方に変位することを抑制できるだけでなく、左右のバーナ用開口間の天板部分が上下方向に反るように変形することも抑制できるようにしたガスコンロを提供することをその課題としている。
【課題を解決するための手段】
【０００６】
上記課題を解決するために、本発明は、コンロ本体の上面を覆う天板に、コンロバーナを挿通するバーナ用開口が左右一対に開設されたガスコンロにおいて、左右方向に長手で、左右の各端部が左右の各バーナ用開口の口縁部に連結される桟部材が天板の下面に沿わせて設けられ、コンロ本体に、桟部材の中央部を下方に押圧して天板を固定する固定手段が設けられることを特徴とする。
【０００７】
本発明によれば、固定手段により桟部材の中央部を下方に押圧することにより、左右のバーナ用開口の口縁部に桟部材を介して下方への押圧力が作用する。そのため、天板の熱膨張で左右のバーナ用開口の口縁部が上方に変位することを抑制できる。また、左右のバーナ用開口の口縁部に下方への押圧力が作用すると、コンロ本体で支持される天板の周縁部を支点にして、天板に曲げモーメントが作用し、左右のバーナ用開口間の天板部分が僅かではあるが下方に反るように変形する。そのため、左右のバーナ用開口間の天板部分の熱膨張による反りの方向は下方に限定され、この天板部分が熱膨張で上方に反るように変形することを防止できる。更に、左右のバーナ用開口間の天板部分が熱膨張で下方に反るように変形しても、この天板部分が桟部材に当接したところでそれ以上の下方への反りが阻止される。従って、左右のバーナ用開口間の天板部分が熱膨張で上下方向に反るように変形することを抑制できる。
【０００８】
尚、本発明においては、桟部材の中央部に、後下がりに傾斜した傾斜板部が固定され、固定手段は、コンロ本体に固定の部材に螺挿された、傾斜板部に後方から当接可能な固定ネジで構成されることが望ましい。これによれば、固定ネジを前方に螺進させることにより、楔効果で傾斜板部に下方への押圧力を加えることができる。
【０００９】
この場合、コンロ本体の後板部に、固定ネジと同一軸線上に位置させて、固定ネジを操作する工具を挿入可能な孔部を設けることが望ましい。これによれば、コンロ本体の後方からの作業で容易に固定ネジを操作することができ、天板の固定、取外しの作業性が向上する。
【００１０】
更に、コンロ本体の後板部と固定ネジとの間に、固定ネジと同一軸線上に位置させて、工具が挿通される後方に向けて拡径したテーパー状のガイド筒を設ければ、コンロ本体の後板部の孔部から挿入した工具がガイド筒に案内されて固定ネジまで到達してその頭部に係合するため、作業性が一層向上する。
【図面の簡単な説明】
【００１１】
【図１】本発明の実施形態のガスコンロの斜視図。
【図２】実施形態のガスコンロの要部の切断正面図。
【図３】図２のＩＩＩ−ＩＩＩ線で切断した拡大切断側面図。
【発明を実施するための形態】
【００１２】
図１を参照して、本発明の実施形態のガスコンロは、コンロ本体１と、コンロ本体１の上面を覆う天板２と、天板２に開設した左右一対のバーナ用開口２１，２１に挿通される左右一対のコンロバーナ３，３と、天板２上に左右のバーナ用開口２１，２１を囲うようにして載置される左右一対の五徳４，４とを備えている。各コンロバーナ３には、五徳４に載置する調理容器の底面に当接してその温度を検出する鍋底温度センサ３１が付設されている。
【００１３】
コンロ本体１の前面には、コンロ本体１内の前部に配置した左右のコンロバーナ３，３用の図示省略した左右一対のガス弁を操作する左右一対の操作摘み１１，１１と、コンロ本体１内の前部に配置した電池ケースの開閉蓋１２が配置されている。また、コンロ本体１内の横方向中央部には、図２、図３に示す如く、ガスホースを接続する後端のエルボジョイント１３ａから前方にのびて両ガス弁にガスを供給するガス供給管１３と、両ガス弁から後方にのびる左右一対のガス導管１４，１４とが配置されている。各ガス導管１４の後端部は、各コンロバーナ３の混合管３２の入口部に向けて折り返され、この折返し部の先端に、混合管３２の入口部に挿入される図示省略したガスノズルが装着されている。
【００１４】
各五徳４は、環状の五徳枠４１に放射状に複数の五徳爪４２を取付けて成るものである。また、天板２の各バーナ用開口２１の口縁部２２は、上方に隆起した形状に絞り成形されており、この口縁部２２の外周に各五徳４の五徳枠４１を嵌合させて、各五徳４を位置決めしている。
【００１５】
ところで、各バーナ用開口２１の口縁部２２は、コンロバーナ２の火炎の輻射熱により加熱されやすく、口縁部２２からの入熱で天板２が熱膨張して、口縁部２２が上方に変位するように天板２が変形することがある。そして、各バーナ用開口２１の口縁部２２が一旦上方に変位すると、火炎に近づくために、口縁部２２への入熱量が増加して、熱膨張による口縁部２２の上方への変位量がかなり大きくなってしまう。従って、各バーナ用開口２１の口縁部２２が上方に変位することを防止する必要がある。然し、各バーナ用開口２１の口縁部２２を上方に変位しないようにコンロ本体１に対し単純に固定したのでは、左右のバーナ用開口２１，２１間の天板部分が熱膨張で上下方向に反るように変形してしまう。
【００１６】
そこで、本実施形態では、図２、図３に示す如く、天板２の下面に沿わせて左右方向に長手の桟部材５を設けて、桟部材５の左右の各端部を左右の各バーナ用開口２１の口縁部２２に連結し、更に、コンロ本体１に、桟部材５の中央部を下方に押圧して天板２を固定する固定手段６を設けている。
【００１７】
具体的には、各バーナ用開口２１の口縁部２２の横方向内側（左のバーナ用開口２１の口縁部２２の右側と右のバーナ用開口２１の口縁部２２の左側）の内周縁部から下方に延出される舌片状の連結部２２ａを設けて、これら各連結部２２ａに桟部材５の左右の各端部を締結している。また、桟部材５の中央部に、後下がりに傾斜した傾斜板部５１を固定し、固定手段６を、コンロ本体１に固定の部材に螺挿された、傾斜板部５１に後方から当接可能な固定ネジ６１で構成している。より具体的に説明すれば、桟部材５の中央部後縁の垂下板部５２に前方に向けて縮径するテーパー状の筒部５３を形成して、この筒部５３の下部で傾斜板部５１を構成している。また、コンロ本体１の底板部１５に、桟部材５よりも後方に位置させて、コンロ本体１に固定の前記部材としてガス供給管１３を跨ぐ台枠６２を固定し、この台枠６２の上部前縁の起立板部６２ａに固定ネジ６１を螺挿している。
【００１８】
ここで、固定ネジ６１を前方に螺進させると、楔効果で傾斜板部５１に下方への押圧力が加えられ、即ち、桟部材５の中央部が下方に押圧され、左右の各バーナ用開口２１の口縁部２２に桟部材５を介して下方への押圧力が作用する。そのため、天板２の熱膨張で各バーナ用開口２１の口縁部２２が上方に変位することを抑制できる。また、左右のバーナ用開口２１，２１の口縁部２２，２２に下方への押圧力が作用すると、コンロ本体１で支持される天板２の周縁部を支点にして、天板２に曲げモーメントが作用して、左右のバーナ用開口２１，２１間の天板部分が図示できない程僅かではあるが下方に反るように変形する。そのため、左右のバーナ用開口２１，２１間の天板部分の熱膨張による反りの方向は下方に限定される。その結果、左右のバーナ用開口２１，２１間の天板部分が熱膨張で上方に反るように変形することを防止できる。更に、左右のバーナ用開口２１，２１間の天板部分が熱膨張で下方に反るように変形しても、この天板部分が桟部材５に当接したところでそれ以上の下方への反りが阻止される。従って、左右のバーナ用開口２１，２１間の天板部分が熱膨張で上下方向に反るように変形することを抑制できる。
【００１９】
また、本実施形態では、コンロ本体１の後板部１６に、固定ネジ６１と同一軸線上に位置させて、固定ネジ６１を操作する図外のドライバから成る工具を挿入可能な孔部１６ａを設けている。更に、後板部１６と固定ネジ６１との間に、固定ネジ６１と同一軸線上に位置させて、工具が挿通される後方に向けて拡径したテーパー状のガイド筒６３を設けている。これによれば、コンロ本体１の後方からの作業で容易に固定ネジ６１を操作することができ、天板２の固定、取外しの作業性が向上する。しかも、後板部１６の孔部１６ａから挿入した工具がガイド筒６３に案内されて固定ネジ６１まで到達してその頭部に係合するため、作業性が一層向上する。
【００２０】
尚、孔部１６ａは、後板部１６に形成したエルボジョイント１３ａ用の孔部１６ｂの上方に連続して形成されている。また、ガイド筒６３は、台枠６２の上部後縁に立設した起立板部６２ｂに形成されている。
【００２１】
以上、本発明の実施形態について図面を参照して説明したが、本発明はこれに限定されない。例えば、コンロ本体１の底板部１５を通して桟部材５の中央部に下方から螺挿される固定ネジで固定手段６を構成することも可能である。然し、このものでは、ガスコンロをひっくり返して固定ネジを操作することが必要になる。そのため、作業性を向上させるには上記実施形態の方が有利である。
【符号の説明】
【００２２】
１…コンロ本体、１６…後板部、１６ａ…孔部、２…天板、２１…バーナ用開口、２２…口縁部、３…コンロバーナ、５…桟部材、５１…傾斜板部、６…固定手段、６１…固定ネジ、６２…台枠（コンロ本体に固定の部材）、６３…ガイド筒。
【図１】
0006680622.tif 000002
【図２】
0006680622.tif 000003
【図３】
0006680622.tif 000004